(57)【要約】【課題】    カード式錠用シリンダに簡単に取り付け、カードキー（３）を挿入しない時にはシリンダ（１）のカード挿入孔（２）を常にシャッタ（８）スライド部材で覆うカード式錠用シリンダカバー体を提供すること。【解決手段】  カード錠用シリンダカバー体において、カバー本体（４）がシャッタスライド部材（８）を滑動するスライド孔（５）と、ばね（１０）により付勢されたシャッタスライド部材（８）と、複数のピン（１１）にばねを支持する支持体（９）とから成り、カバー本体はカード式錠用シリンダ上に取り付けると、シャッタスライド部材（８）がシリンダ（１）のカード挿入孔（２）を覆うようになることを特徴とする。【選択図】      図１
0003104225.tif 000002
【実用新案登録請求の範囲】
【請求項１】
カード式錠用シリンダカバー体において、カバー本体は、シャッタスライド部材を滑動するスライド孔と、ばねにより付勢されたシャッタスライド部材と、複数のピンにばねを支持する支持体とから成り、カバー本体はカード錠用シリンダ上に取り付けると、シャッタスライド部材がシリンダのカード挿入孔を覆うようになることを特徴とするカード式錠用シリンダカバー体。
【請求項２】
カバー本体が着色されていることを特徴とする請求項１に記載のカード式錠用シリンダカバー体。
【請求項３】
カバー本体が透明なプラスチック材料により成形されていることを特徴とする請求項１に記載のカード式錠用シリンダカバー体。
【請求項４】
カード錠用シリンダの前面に取り付け孔を持つシリンダカード錠では、カバー本体を自己開き留め具によりシリンダの正面に取り付けることを特徴とする請求項１に記載のカード式錠用シリンダカバー体。
【請求項５】
カバー本体の両脇の弾性舌片突起がシリンダの両脇溝に係合してカバー本体をシリンダに固定することを特徴とする請求項１に記載のカード式錠用シリンダカバー体。
【考案の詳細な説明】
【技術分野】
【０００１】
この考案は、カード式錠用シリンダに取り付けてシリンダのカード挿入孔を覆うシリンダカバー体に関する。
【背景技術】
【０００２】
従来のカード式シリンダ錠では、シリンダのカード挿入孔からごみや塵が入ったり、また、シリンダ錠が野外に面している場合には、シリンダのカード挿入孔から雨水が入って、シリンダ錠の腐食を発生したり、カードの挿入によるシリンダ錠の作動がスムーズに行かなくなることも生じていた。更には、悪戯でカード挿入孔をキー以外のものを挿入したりして、シリンダ錠の故障を生じる場合もあった。
【０００３】
また、長く使用していると、シリンダのカード挿入孔にカードキーを挿入する際にキーがシリンダに衝突してシリンダ表面に傷が付いていることが多いので、賃貸しマンションやホテルでは客の変わるごとに新しいシリンダ錠を用意することが好ましかった。また、盗難防止の安全の面からも、新しいシリンダ錠を用意することが好ましかったが、この点は、本出願人の発明した施錠設定変更装置を備えるシリンダ錠（例えば、特許文献１を参照）では、客の変わるごとに施錠設定変更して新たな錠と同じ状態にできた。
【０００４】
しかし、シリンダ錠にカバーを取り付けてカード挿入孔を遮蔽することは、先行技術として存在していない。
【特許文献１】特許出願公開２００１年第２９５５１９号明細書
【考案の開示】
【考案が解決しようとする課題】
【０００５】
この考案の課題は、カード式錠用シリンダに簡単に取り付け、カードキーを挿入しない時にはシリンダのカード挿入孔を常にシャッタスライド部材で覆うカード式錠用シリンダカバー体を提供することである。
【課題を解決するための手段】
【０００６】
この課題は、カバー本体がシャッタスライド部材を滑動するスライド孔と、ばねにより付勢されたシャッタスライド部材と、複数のピンにばねを支持する支持体とから成り、カバー本体はカード式錠用シリンダ上に取り付けると、シャッタスライド部材がシリンダのカード挿入孔を覆うようになるカード錠用シリンダカバー体によって、解決される。
【０００７】
この考案の錠では、 カードキーをシャッタスライド部材の前に押し当て置いてから、カードキーをスライドさせて挿入孔に移動して挿入するという作用が人間工学的に適ったものとなっている。
【考案の効果】
【０００８】
この考案によると、シリンダのカード挿入孔はばねにより付勢されたシャッタスライド部材により常に閉鎖されているから、ごみや塵や雨水がカード挿入孔からカード錠用シリンダ内に入ることは完全に防止され、また、悪戯防止にも役立つ。
【０００９】
請求項２に記載の考案によると、シリンダのカバー体を取り付けることにより、メッキ色や各種の色合いのシリンダ錠カバーにでき、装飾効果を奏する。
【００１０】
請求項３に記載の考案によると、ホテルや賃貸しマンションでは客の変わるごとに新しいシリンダカバー体を取り替えると共にシリンダ錠の施錠設定変更を行うことにより、安価に新しいシリンダ錠に変身できる。更に、施錠設定変更と同時にカバー体の交換を行うと、新品のシリンダ錠を用意することと同じ効果をまねく。
【００１１】
請求項４や請求項５に記載の考案によると、簡単な取り付け手段により既存のシリンダ錠を容易にカバーできる。
【００１２】
この考案によると、このカード式錠は人間工学的に適ったカードキー挿入作用により作動できる。
【考案を実施するための最良の形態】
【００１３】
次に、この考案のカード式錠は、図面に基づいて詳細に説明される。図１はシリンダからカバー体を分解して取り外した分解斜視図であり、図２は図１に開示したカバー体をシリンダに取り付ける係合固定状態の断面図を示し、図３はシリンダ前面に取り付け孔を持つ形式のカバー体分解斜視図であり、図４は図３に開示したカバー体をシリンダに取り付ける係合固定状態の拡大断面図を示し、図５はカバー体を取り付け前のシリンダ錠の外観とカバーを取り付けたシリンダ錠の外観並びにカードキー挿入作用状態のカバー付きシリンダ錠の外観を示す斜視図を示す。
【実施例１】
【００１４】
図１はシリンダからカバー体４を分解して取り外した分解斜視図であり、既存のドアシリンダ１には、カードキー３を挿入する挿入孔２が設けられ、カバー本体４はシャッタスライド部材８を滑動するスライド孔５と、ばね１０により付勢されたシャッタスライド部材８と、複数のピン１１にばね１０を支持する支持体９とから成る。カバー本体４はカード錠用シリンダ１上に取り付けると、シャッタスライド部材８がシリンダ１のカード挿入孔２を覆うようになる。また、ドアシリンダ１の正面にはハウジングプレート１６が取り付けられている。
【００１５】
図２は図１に開示したカバー体をシリンダに取り付ける係合固定状態の断面図を示し、このシリンダでは、カバー本体４の両脇の弾性舌片６の突起７がシリンダ１の両脇溝１２に係合してカバー本体４をシリンダ１に固定している。
【実施例２】
【００１６】
図３はシリンダ前面に取り付け孔１５を持つ形式のカバー体分解斜視図である。カバー本体４がシリンダ１に支持リング１３を介して設置した後に、自己開き留め具１４がハウジングプレート１６の孔１７を通してシリンダ１の孔１５に通過されると、自己開き留め具１４は係止脚を弾性自動開きしてカバー本体４をシリンダ１に固定する。
【００１７】
図４は図３に開示したカバー体４をシリンダ１に取り付ける係合固定状態の拡大断面図を示し、図４の左側ａにはカードキー３を挿入孔２に挿入する前の状態、即ちシャッタスライド部材８がシリンダ１の挿入孔２を覆っている。図４の右左側ｂにはカードキー３を挿入孔２に挿入した状態、即ちシャッタスライド部材８がカバー本体４のスライド孔５内に移動されている状態である。 
【００１８】
図５はカバー体４を取り付け前のシリンダ錠の外観ａとカバー体４を取り付けたシリンダ錠の外観ｂ並びにカードキー挿入作用状態のカバー体付きシリンダ錠の外観ｃ、ｄを示す斜視図である。カードキー３はシャッタスライド部材８の前に押し当て置いてから、カードキー３で矢印Ａに示す如くシャッタスライド部材８をスライド孔５へ押し込みスライドさせて挿入孔１２まで移動して、矢印Ｂに示す如くカードキー３を挿入孔１２に挿入する。この作用は人間工学的に適ってスムーズに実施できるものである。
【図面の簡単な説明】
【００１９】
【図１】シリンダからカバー体を分解して取り外した分解斜視図である。
【図２】図１に開示したカバー体をシリンダに取り付ける係合固定状態の断面図を示す。
【図３】シリンダ前面に取り付け孔を持つ形式のカバー体分解斜視図である。
【図４】図３に開示したカバー体をシリンダに取り付ける係合固定状態の拡大断面図を示す。
【図５】カバー体を取り付け前のシリンダ錠の外観ａとカバー体を取り付けたシリンダ錠の外観ｂ並びにカードキー挿入作用状態のカバー付きシリンダ錠の外観ｃ、ｄをを示す斜視図である。
【符号の説明】
【００２０】
１．．．．．シリンダ
２．．．．．カードキー挿入孔
３．．．．．カードキー
４．．．．．カバー体
５．．．．．スライド孔
６．．．．．カバー体の弾性舌片
７．．．．．弾性舌片の突起
８．．．．．シャッタスライド部材
９．．．．．支持体
１０．．．．．ばね
１１．．．．．ばね支持ピン
１２．．．．．シリンダの脇溝
１３．．．．．支持リング
１４．．．．．自己開き留め具
１５．．．．．シリンダの留め具挿入孔
１６．．．．．ハウジングプレート
１７．．．．．カバーの留め具挿入孔
A,B ．．．．カードキー押し込み移動方向
【図１】
0003104225.tif 000003
【図２】
0003104225.tif 000004
【図３】
0003104225.tif 000005
【図４】
0003104225.tif 000006
【図５】
0003104225.tif 000007